(57)【要約】【課題】各躯体間の種々の相対変位に対して円滑に対応でき、かつ上記入隅部間の良好な外観性を維持できるという効果に加えて、強度も向上させることができるエキスパンションジョイント構造を提供する。【解決手段】天井躯体Ｃ１、Ｃ２間の間隙を覆う天井カバー１１と、壁躯体Ｂ１、Ｂ２間の間隙を覆う壁カバー１２と、前記天井カバー１１と前記壁カバー１２との間に設けられるコーナーカバー１３と、を備える。前記コーナーカバー１３は、内側コーナーカバー２０と外側コーナーカバー３０とを備えた２重構造である。前記内側コーナーカバー２０及び前記外側コーナーカバー３０はそれぞれ前記壁カバー１２に固定される。また、前記内側コーナーカバー２０には、前記天井カバー１１の両側を覆う側カバー部材２５が回動自在に設けられている。【選択図】図２
2014136906.tif 000002
【特許請求の範囲】
【請求項１】
壁躯体と天井躯体とが突合せられたコーナーの入隅部に設けられ、２つの建物躯体の間隙を覆うように架設されるエキスパンションジョイント構造において、
天井躯体間の間隙を覆う天井カバーと、
壁躯体間の間隙を覆う壁カバーと、
前記天井カバーと前記壁カバーとの間に設けられるコーナーカバーと、
を備え、
前記コーナーカバーを、内側コーナーカバーと外側コーナーカバーとを備えた２重構造とするとともに、前記内側コーナーカバー及び前記外側コーナーカバーをそれぞれ前記壁カバーに固定し、
前記内側コーナーカバーには、前記天井カバーの両側を覆う側カバー部材が回動自在に設けられていることを特徴とする、エキスパンションジョイント構造。
【請求項２】
前記コーナーカバーは、前記天井カバーに対して相対的に移動自在に設けられていることを特徴とする、請求項１記載のエキスパンションジョイント構造。
【請求項３】
前記内側コーナーカバーにおける前記壁カバーへの取付部に、前記外側コーナーカバーを外側から圧接させたことを特徴とする、請求項１又は２記載のエキスパンションジョイント構造。
【請求項４】
前記外側コーナーカバーは、前記壁カバーの正面及び側面に固定されることを特徴とする、請求項１〜３のいずれかに記載のエキスパンションジョイント構造。
【請求項５】
前記側カバー部材は、天井面と略平行な回動軸を有する複数の蝶番によって前記内側コーナーカバーに回動自在に設けられていることを特徴とする、請求項１〜４のいずれかに記載のエキスパンションジョイント構造。
【請求項６】
前記内側コーナーカバーの先端が、前記外側コーナーカバーの方向へ屈曲していることを特徴とする、請求項１〜５のいずれかに記載のエキスパンションジョイント構造。
【請求項７】
前記外側コーナーカバーの先端には、前記天井カバーと接する部分に塞ぎ材が取り付けられていることを特徴とする、請求項１〜６のいずれかに記載のエキスパンションジョイント構造。
【請求項８】
前記入隅部に加えて、前記入隅部と連続する出隅部にまで延設されて２つの建物躯体の間隙を覆うように架設されるエキスパンションジョイント構造であって、
前記出隅部において天井躯体間の間隙を覆う天井カバーの先端に先端カバーを固定するとともに、
前記出隅部において壁躯体間の間隙を覆う壁カバーの先端にも先端カバーを固定したことを特徴とする、請求項１〜７のいずれかに記載のエキスパンションジョイント構造。
【発明の詳細な説明】
【技術分野】
【０００１】
この発明は、壁躯体と天井躯体とが突合せられたコーナーに設けられ、２つの建物躯体の間隙を覆うように架設されるエキスパンションジョイント構造に関する。
【背景技術】
【０００２】
一般に、２つの建物躯体における壁や天井等の各対設関係とされる躯体間の間隙部の覆いとして、震動、不同沈下等による各躯体間の相対変位に拘わらずこれら躯体間の間隙部を効率的に覆うように工夫されたエキスパンションジョイントは従来から種々提案されており、また壁躯体と天井躯体の突合せコーナー部の間隙部の覆いに用いられるジョイント構造も提案されている。
【０００３】
例えば、上述の入隅部間の間隙部の覆いに用いられる上記のジョイントの１つとして、特許文献１のような構造が知られている。特許文献１記載の構造においては、互いの壁面直交方向における相対変位で対設壁躯体間に生じる間隙に対処するように構成されたジョイントにおいて、両壁躯体の壁面に当接対峙された天井裏部材が上記壁躯体の相対変位における一方壁躯体の移動に伴って押動されて該一方壁躯体と一緒になって移動することで、一方壁躯体と裏部材の当接間に、つまり一方壁躯体の壁面と裏部材の突合せコーナー部である入隅部に上記相対変位による空間が生じないようにしている。   
【０００４】
こうしたエキスパンションジョイント構造は、一般的にその構造が複雑であり、また機能的にも、各躯体間の変位が大きな場合や躯体の相対変位の方向によっては十分に対応できない。具体的には、カバーと各躯体との間に隙間が生じて上記間隙を十分に覆うことができなかったり、入隅部のジョイントカバーが天井や壁のカバーによる押圧力によって変形したり破損したりすることがある。
【０００５】
また、カバーと各躯体との間の隙間の発生やカバーの破損は、ジョイントによる覆い部の外観性を阻害し、内装の見栄えを悪くするものである。
【０００６】
例えば、上述の特許文献１記載の構造においても、対設される壁躯体の相対変位に伴う一方壁躯体の移動で天井裏部材が一緒に移動するので、一方壁躯体と裏部材間に上記相対変位による空間は生じない。しかし、他方壁躯体の壁面や両壁躯体間の間隙部と裏部材との間には大きな空間が形成され、入隅部間の間隙の覆い部の外観性が阻害され、内装の見栄えを悪化させている。
【０００７】
上述のような問題を解決するため、本出願人は、入隅部間の間隙の覆いに適用されるエキスパンションジョイント構造において、各躯体間の種々の相対変位に対して円滑に対応でき、かつ上記入隅部間の良好な外観性を維持できるエキスパンションジョイント構造を提案した（特許文献２参照）。
【先行技術文献】
【特許文献】
【０００８】
【特許文献１】特開平８−２４６５６４号公報
【特許文献２】特開２００７−２９１６２０号公報
【発明の概要】
【発明が解決しようとする課題】
【０００９】
なお、上述した特許文献２記載の構造は主に天井と内壁とのコーナー部に使用することを意図したものであった。このため、このようなエキスパンションジョイント構造を天井と外壁とのコーナー部に使用する場合、風雨にさらされて風等の外力が加わるため、更に強度を増した構造が求められていた。
【００１０】
そこで、本発明は、各躯体間の種々の相対変位に対して円滑に対応でき、かつ上記入隅部間の良好な外観性を維持できるという効果に加えて、強度も向上させることができるエキスパンションジョイント構造を提供することを課題とする。
【課題を解決するための手段】
【００１１】
本発明は、上記した課題を解決するためになされたものであり、以下を特徴とする。
【００１２】
（請求項１）
請求項１に記載のエキスパンションジョイント構造は、壁躯体と天井躯体とが突合せられたコーナーの入隅部に設けられ、２つの建物躯体の間隙を覆うように架設されるエキスパンションジョイント構造において、天井躯体間の間隙を覆う天井カバーと、壁躯体間の間隙を覆う壁カバーと、前記天井カバーと前記壁カバーとの間に設けられるコーナーカバーと、を備え、前記コーナーカバーを、内側コーナーカバーと外側コーナーカバーとを備えた２重構造とするとともに、前記内側コーナーカバー及び前記外側コーナーカバーをそれぞれ前記壁カバーに固定し、前記内側コーナーカバーには、前記天井カバーの両側を覆う側カバー部材が回動自在に設けられていることを特徴とする。
【００１３】
（請求項２）
請求項２に記載の発明は、上記した請求項１記載の発明の特徴点に加え、以下の点を特徴とする。
すなわち、前記コーナーカバーは、前記天井カバーに対して相対的に移動自在に設けられていることを特徴とする。
【００１４】
（請求項３）
請求項３に記載の発明は、上記した請求項１又は２記載の発明の特徴点に加え、以下の点を特徴とする。
すなわち、前記内側コーナーカバーにおける前記壁カバーへの取付部に、前記外側コーナーカバーを外側から圧接させたことを特徴とする。
【００１５】
（請求項４）
請求項４に記載の発明は、上記した請求項１〜３のいずれかに記載の発明の特徴点に加え、以下の点を特徴とする。
すなわち、前記外側コーナーカバーは、前記壁カバーの正面及び側面に固定されることを特徴とする。
【００１６】
（請求項５）
請求項５に記載の発明は、上記した請求項１〜４のいずれかに記載の発明の特徴点に加え、以下の点を特徴とする。
すなわち、前記側カバー部材は、天井面と略平行な回動軸を有する複数の蝶番によって前記内側コーナーカバーに回動自在に設けられていることを特徴とする。
【００１７】
（請求項６）
請求項６に記載の発明は、上記した請求項１〜５のいずれかに記載の発明の特徴点に加え、以下の点を特徴とする。
すなわち、前記内側コーナーカバーの先端が、前記外側コーナーカバーの方向へ屈曲していることを特徴とする。
【００１８】
（請求項７）
請求項７に記載の発明は、上記した請求項１〜６のいずれかに記載の発明の特徴点に加え、以下の点を特徴とする。
すなわち、前記外側コーナーカバーの先端には、前記天井カバーと接する部分に塞ぎ材が取り付けられていることを特徴とする。
【００１９】
（請求項８）
請求項８に記載の発明は、上記した請求項１〜７のいずれかに記載の発明の特徴点に加え、以下の点を特徴とする。
すなわち、前記入隅部に加えて、前記入隅部と連続する出隅部にまで延設されて２つの建物躯体の間隙を覆うように架設されるエキスパンションジョイント構造であって、前記出隅部において天井躯体間の間隙を覆う天井カバーの先端に先端カバーを固定するとともに、前記出隅部において壁躯体間の間隙を覆う壁カバーの先端にも先端カバーを固定したことを特徴とする。
【発明の効果】
【００２０】
請求項１に記載の発明は上記の通りであり、天井カバーと壁カバーとの間に設けられるコーナーカバーを備え、前記コーナーカバーを、内側コーナーカバーと外側コーナーカバーとを備えた２重構造とするとともに、前記内側コーナーカバー及び前記外側コーナーカバーをそれぞれ前記壁カバーに固定し、前記内側コーナーカバーには、前記天井カバーの両側を覆う側カバー部材が回動自在に設けることとした。
【００２１】
このような構造によれば、コーナーカバーを設けた分だけ、天井カバーと壁カバーとを離反して配置することができるので、地震等が発生して揺れ動いたとしても天井カバーと壁カバーとが衝突せず、破損・落下による事故を防止することができる。そして、コーナーカバーにより天井カバーと壁カバーとの間隙を覆うことができるので、外観を損なうこともない。また、側カバー部材が回動自在に設けられているため、通常時には側カバー部材で天井カバーの両側を覆って意匠性を良くするとともに、地震等で２つの建物躯体が相対的に変位したときには側カバー部材が開き方向に回動するので、側カバー部材と天井カバーとが衝突して破損するといった問題が起きない。
【００２２】
そして、コーナーカバーが内側コーナーカバーと外側コーナーカバーとを備えた２重構造となっており、この内側コーナーカバー及び外側コーナーカバーがそれぞれ壁カバーに固定されているため、強固に壁カバーに固定されており、単一のカバーを使用した場合に比べて強度を向上させることができる。
【００２３】
また、請求項２に記載の発明は上記の通りであり、前記コーナーカバーは、前記天井カバーに対して相対的に移動自在に設けられているので、コーナーカバーと天井カバーとの隙間を設ける必要がなく、意匠性を損ねることがない。
【００２４】
また、請求項３に記載の発明は上記の通りであり、前記内側コーナーカバーにおける前記壁カバーへの取付部に、前記外側コーナーカバーを外側から圧接させた。このような構造によれば、内側コーナーカバーの取付部を外側コーナーカバーで外側から固定することで、より強固に壁カバーに固定することができ、強度を向上させることができる。
【００２５】
また、請求項４に記載の発明は上記の通りであり、前記外側コーナーカバーは、前記壁カバーの正面及び側面に固定されるので、外側コーナーカバーをより強固に壁カバーに固定することができ、強度を向上させることができる。
【００２６】
また、請求項５に記載の発明は上記の通りであり、前記側カバー部材は、天井面と略平行な回動軸を有する複数の蝶番によって前記内側コーナーカバーに回動自在に設けられているので、天井面と略垂直な回動軸で側カバー部材を取り付けた場合（特許文献２参照）と比較して蝶番の数を増やすことができる。また、長手方向に回動軸が設けられるので、側カバー部材の先端の移動距離（側カバー部材が所定角度回動したときに先端が描く円弧状の軌跡の長さ）を小さくすることができる。例えばエキスパンションジョイント構造を外壁などに取り付けると、風等の外力により側カバー部材が意図せずに開閉するおそれがあるが、このように蝶番の数を増やすとともに側カバー部材の先端の移動距離を小さくすることで意図しない側カバー部材の開閉を抑制することができ、また、側カバー部材の開閉に伴う金属音等の騒音を抑制することができる。
【００２７】
また、側カバー部材を長くした場合でも、蝶番の数を増やすことで容易に対応することができ、確実に閉状態を維持することができる。
【００２８】
また、請求項６に記載の発明は上記の通りであり、前記内側コーナーカバーの先端が、前記外側コーナーカバーの方向へ屈曲しているので、内側コーナーカバーの先端が下方に垂れる方向に力が加わっても、外側コーナーカバーで支持されて撓みにくくすることができる。
【００２９】
また、内側コーナーカバーが撓んだ場合でも、先端が上方へ屈曲した外側コーナーカバーで覆われている為、天井カバーと内側コーナーカバー間に撓みによる間隙が生じても、この間隙が視認される事がなく、意匠性が良い。
【００３０】
また、請求項７に記載の発明は上記の通りであり、前記外側コーナーカバーの先端には、前記天井カバーと接する部分に塞ぎ材が取り付けられているので、コーナーカバーと天井カバーとの隙間を確実に塞ぐことができるとともに、外側コーナーカバーと天井カバーとの摺動をスムーズにすることができる。
【００３１】
また、請求項８に記載の発明は上記の通りであり、前記入隅部に加えて、前記入隅部と連続する出隅部にまで延設されて２つの建物躯体の間隙を覆うように架設されるエキスパンションジョイント構造であって、前記出隅部において天井躯体間の間隙を覆う天井カバーの先端に先端カバーを固定するとともに、前記出隅部において壁躯体間の間隙を覆う壁カバーの先端にも先端カバーを固定したので、出隅部においても衝突による破損・落下の事故を防止することができる。すなわち、先端カバーが天井カバー側と壁カバー側とに分割されているため、地震等が発生して揺れ動いたとしても先端カバー同士が衝突せず、破損・落下の事故を防止することができる。
また、先端カバーは同一部材を使用することができるので、低コストで製造することができる。
【図面の簡単な説明】
【００３２】
【図１】入隅部に設けられたエキスパンションジョイント構造の斜視図である。
【図２】コーナーカバーの分解斜視図である。
【図３】２つの建物躯体が相対的に変位したときに側カバー部材が開き方向に回動する様子を示す斜視図である。
【図４】変形例に係るコーナーカバーの分解斜視図である。
【図５】図４の内側コーナーカバーの、（ａ）側面図、（ｂ）正面図、（ｃ）Ｘ−Ｘ断面図、（ｄ）内側コーナーカバーと外側コーナーカバーの一部拡大断面図である。
【図６】外側コーナーカバーの先端に塞ぎ材を設けた態様を説明する図であって、（ａ）コーナーカバーの正面図、（ｂ）Ａ−Ａ断面図、（ｃ）Ｘ部拡大図である。
【図７】外側コーナーカバーの先端に別の塞ぎ材を設けた態様を説明する図であって、（ａ）コーナーカバーの正面図、（ｂ）Ｂ−Ｂ断面図、（ｃ）Ｙ部拡大図である。
【図８】入隅部及び出隅部に設けられたエキスパンションジョイント構造の斜視図である。
【図９】入隅部及び出隅部に設けられたエキスパンションジョイント構造の分解斜視図である。
【図１０】入隅部及び出隅部に設けられたエキスパンションジョイント構造において、２つの建物躯体が相対的に変位したときの様子を示す斜視図である。
【発明を実施するための形態】
【００３３】
本発明の実施形態について、図を参照しながら説明する。
【００３４】
本実施形態に係るエキスパンションジョイント構造１０は、図１に示すように、壁躯体Ｂ１と天井躯体Ｃ１とが付き合わされたコーナーを有する一方の建物躯体Ａ１と、壁躯体Ｂ２と天井躯体Ｃ２とが付き合わされたコーナーを有する他方の建物躯体Ａ２と、が間隙を隔てて配置されており、この間隙を覆うように架設されるものである。
【００３５】
エキスパンションジョイント構造１０は、この図１においては、壁躯体Ｂ１、Ｂ２と天井躯体Ｃ１、Ｃ２とが突合せられたコーナーの入隅部Ｄに設けられている。
【００３６】
このエキスパンションジョイント構造１０は、図１に示すように、天井カバー１１と、壁カバー１２と、コーナーカバー１３と、を備えている。なお、図１は入隅部の説明図である為、天井カバー１１及び壁カバー１２は、一部分のみを示す省略した図である。
【００３７】
天井カバー１１は、図１に示すように、天井面１１ａの側縁が上方に立ち上げられて側面１１ｂを形成しており、断面が略コ字形に形成されている。この天井カバー１１は、図示しない支持手段により天井躯体Ｃ１、Ｃ２間の間隙を覆うように天井躯体Ｃ１、Ｃ２に摺動可能に固定されている。天井カバー１１は、図３に示すように、入隅部Ｄのコーナーから一定距離を設けて固定されており、壁カバー１２と接触しないように配置されている。
【００３８】
壁カバー１２は、図１に示すように、正面１２ａの側縁が後方に屈折して側面１２ｂを形成しており、断面が略コ字形に形成されている。この壁カバー１２は、図示しない支持手段により壁躯体Ｂ１、Ｂ２間の間隙を覆うように壁躯体Ｂ１、Ｂ２に摺動可能に固定されている。この壁カバー１２も、図３に示すように、入隅部Ｄのコーナーから一定距離を設けて固定されており、天井カバー１１と接触しないように配置されている。
【００３９】
コーナーカバー１３は、天井カバー１１と壁カバー１２との間隙に設けられるものであり、図２に示すように、内側コーナーカバー２０と、外側コーナーカバー３０と、を備えた２重構造となっている。
【００４０】
内側コーナーカバー２０は、図２に示すように、水平面部２１と垂直面部２２とで略Ｌ字形を形成する部材であり、角部が入隅部Ｄのコーナーに臨むように配設されている。
【００４１】
水平面部２１は、天井カバー１１の天井面１１ａと略平行に対向配置される部位であり、両側縁が上方に立ち上げられて側立縁部２３を形成している。また、水平面部２１の先端部も上方に立ち上げられて前立縁部２４を形成している。この側立縁部２３及び前立縁部２４は、先端が天井カバー１１の天井面１１ａに臨むようになっている。さらに、図４又は図５に示すように、前立縁部２４を下方へ屈曲し、後述の外側コーナーカバー３０の傾斜面部３１に臨むようにしても良い。なお、側立縁部２３には、複数の切欠部２３ａが設けられており、この切欠部２３ａの下部に蝶番２６を取り付け可能となっている。
【００４２】
蝶番２６は、天井カバー１１の天井面１１ａと略平行な回動軸２６ａを有するものであり、この蝶番２６を介して内側コーナーカバー２０に側カバー部材２５が回動自在に設けられている。側カバー部材２５は、天井カバー１１の両側に配設され、天井カバー１１の側面１１ｂを外側から覆うことができるようになっている。側カバー部材２５の下部内側面には、長手方向に沿って複数の蝶番２６が取り付けられており、側カバー部材２５はこの蝶番２６を介して開閉自在に内側コーナーカバー２０の側部に枢着されている。なお、蝶番２６はバネを内蔵しており、このバネの付勢力により、側カバー部材２５は常に天井カバー１１の両側を覆う方向に付勢されている。
【００４３】
垂直面部２２は、壁カバー１２の正面１２ａと略平行に対向配置される部位である。この垂直面部２２には複数個の取付孔２２ａが穿設されており、この取付孔２２ａを貫通したビス４２を壁カバー１２の正面１２ａに固着させることで、内側コーナーカバー２０を壁カバー１２に固定できるように形成されている。
【００４４】
外側コーナーカバー３０は、内側コーナーカバー２０を下方から支持する部材であり、内側コーナーカバー２０を覆うように取り付けられる。外側コーナーカバー３０に覆われることで、内側コーナーカバー２０は外部から視認できないようになっている。この外側コーナーカバー３０は、図２に示すように、傾斜面部３１と、下垂部３２と、側面部３３と、前面部３４と、を備えている。
【００４５】
傾斜面部３１は、入隅部Ｄのコーナーに対して傾斜して配置される部位であり、内側コーナーカバー２０の水平面部２１と垂直面部２２とを繋ぐように斜めに配置される。
【００４６】
下垂部３２は、傾斜面部３１の下端に設けられた部位であり、壁カバー１２の正面１２ａと略平行に対向配置される。この下垂部３２には、複数個の取付孔３２ａが穿設されており、この取付孔３２ａを貫通したビス４２を壁カバー１２の正面１２ａに固着させることができるようになっている。
【００４７】
側面部３３は、傾斜面部３１の両側に設けられた部位である。この側面部３３は、壁カバー１２の側面１２ｂを覆う位置まで延設され、壁カバー１２の側面１２ｂと略平行に対向配置される。この側面部３３には、壁カバー１２の側面１２ｂと対向する位置に複数個の取付孔３３ａが穿設されており、この取付孔３３ａを貫通したビス４２を壁カバー１２の側面１２ｂに固着させることができるようになっている。
【００４８】
上記した下垂部３２及び側面部３３は、図３等に示すように、壁カバー１２の正面１２ａ及び側面１２ｂの外面に沿うように略コ字状の内接面を形成しており、この下垂部３２及び側面部３３を壁カバー１２にビス４２で固定することで、外側コーナーカバー３０を壁カバー１２に固定できるように形成されている。
【００４９】
なお、外側コーナーカバー３０を壁カバー１２に固定する際には、内側コーナーカバー２０の垂直面部２２（内側コーナーカバー２０における壁カバー１２への取付部）に下垂部３２を外側から圧接させるように取り付ける。すなわち、壁カバー１２の正面１２ａの外面と、外側コーナーカバー３０の下垂部３２の内面とで、内側コーナーカバー２０の垂直面部２２を挟み込むように固定する。これにより、内側コーナーカバー２０の壁カバー１２への固定を確実なものとしている。
【００５０】
前面部３４は、傾斜面部３１の上端に設けられた部位であり、傾斜面部３１の上端部から上方に立ち上げ形成されている。この前面部３４の先端は天井カバー１１の天井面１１ａに臨むように形成されており、前面部３４の先端を天井カバー１１の天井面１１ａに沿って相対的に移動させることで、コーナーカバー１３が天井カバー１１に対して相対的に移動自在となっている。
【００５１】
なお、傾斜面部３１と前面部３４とで形成される角部３５は、内側コーナーカバー２０の水平面部２１の端部を下側から支持できるようになっている。このため、内側コーナーカバー２０は、下端部が下垂部３２に支持されるとともに、水平面部２１の前端部が角部３５（または傾斜面部３１）に支持されるため、外側コーナーカバー３０によって斜め補強される形となっている。このため、前方へ張り出した内側コーナーカバー２０の水平面部２１が、外側コーナーカバー３０で支持されて撓みにくくなっている。本実施形態においては、蝶番２６を複数設けた重みにより内側コーナーカバー２０の水平面部２１の先端が下方に垂れる方向に力が加わるが、この重量を外側コーナーカバー３０で支持することで変形を抑制できるように形成されている。
【００５２】
以上説明したように、本実施形態に係るエキスパンションジョイント構造１０によれば、コーナーカバー１３を設けた分だけ、天井カバー１１と壁カバー１２とを離反して配置することができるので、地震等が発生して揺れ動いたとしても天井カバー１１と壁カバー１２とが衝突せず、破損・落下による事故を防止することができる。そして、コーナーカバー１３により天井カバー１１と壁カバー１２との間隙を覆うことができるので、外観を損なうこともない。また、側カバー部材２５が回動自在に設けられているため、通常時には側カバー部材２５で天井カバー１１の両側を覆って意匠性を良くするとともに、地震等で２つの建物躯体Ａ１、Ａ２が相対的に変位したときには側カバー部材２５が開き方向に回動するので（図３参照）、側カバー部材２５と天井カバー１１とが衝突して破損するといった問題が起きない。
【００５３】
そして、コーナーカバー１３が内側コーナーカバー２０と外側コーナーカバー３０とを備えた２重構造となっており、この内側コーナーカバー２０及び外側コーナーカバー３０がそれぞれ壁カバー１２に固定されているため、強固に壁カバー１２に固定されており、単一のカバーを使用した場合に比べて強度を向上させることができる。
【００５４】
また、前記コーナーカバー１３は、前記天井カバー１１に対して相対的に移動自在に設けられているので、コーナーカバー１３と天井カバー１１との隙間を設ける必要がなく、意匠性を損ねることがない。
【００５５】
また、前記内側コーナーカバー２０における前記壁カバー１２への取付部（垂直面部２２）に、前記外側コーナーカバー３０を外側から圧接させている。このような構造によれば、内側コーナーカバー２０の取付部（垂直面部２２）を外側コーナーカバー３０で外側から固定することで、より強固に壁カバー１２に固定することができ、強度を向上させることができる。
【００５６】
また、前記外側コーナーカバー３０は、前記壁カバー１２の正面１２ａ及び側面１２ｂに固定されるので、外側コーナーカバー３０をより強固に壁カバー１２に固定することができ、強度を向上させることができる。
【００５７】
また、前記側カバー部材２５は、天井面１１ａと略平行な回動軸２６ａを有する複数の蝶番２６によって前記内側コーナーカバー２０に回動自在に設けられているので、蝶番２６の数を増やすことができる。また、長手方向に回動軸２６ａが設けられるので、側カバー部材２５の先端の移動距離（側カバー部材２５が所定角度回動したときに先端が描く円弧状の軌跡の長さ）を小さくすることができる。例えばエキスパンションジョイント構造１０を外壁などに取り付けると、風等の外力により側カバー部材２５が意図せずに開閉するおそれがあるが、このように蝶番２６の数を増やすとともに側カバー部材２５の先端の移動距離を小さくすることで、意図しない側カバー部材２５の開閉を抑制することができ、また、側カバー部材２５の開閉に伴う金属音等の騒音を抑制することができる。
【００５８】
また、側カバー部材２５を長くした場合でも、蝶番２６の数を増やすことで容易に対応することができ、確実に閉状態を維持することができる。
【００５９】
また、前記内側コーナーカバー２０の先端の前立縁部２４が、前記外側コーナーカバー３０の方向へ屈曲するようにすれば、内側コーナーカバー２０の先端が下方に垂れる方向に力が加わっても、外側コーナーカバー３０で支持されて撓みにくくすることができる。また、内側コーナーカバー２０が撓んだ場合でも、先端の前面部３４が上方へ屈曲した外側コーナーカバー３０で覆われている為、天井カバー１１と内側コーナーカバー２０間に撓みによる間隙が生じても、この間隙が視認される事がなく、意匠性が良い。
【００６０】
なお、図６又は図７に示すように、外側コーナーカバー３０の先端において、天井カバー１１の天井面１１ａと接する部分（すなわち傾斜面部３１の先端に設けられた前面部３４）に塞ぎ材４１を取り付けてもよい。図６又は図７に示す塞ぎ材４１は、天井カバー１１の天井面１１ａに接する摺接面を備えた摺接部４１ａと、前面部３４の内側へ屈曲された先端を挟持する挟持部４１ｂと、を備えている。この塞ぎ材４１は、例えば樹脂材料で形成されており、挟持部４１ｂで前面部３４の内側へ屈曲された先端を挟持し、外側コーナーカバー３０に取り付けられる。このような塞ぎ材４１を設ければ、外側コーナーカバー３０と天井カバー１１との隙間を確実に塞ぐことができるとともに、外側コーナーカバー３０と天井カバー１１との摺動をスムーズにすることができる。
【００６１】
また、図８に示すように、入隅部Ｄに加えて、この入隅部Ｄと連続する出隅部Ｅにまでエキスパンションジョイント構造１０を延設し、２つの建物躯体Ａ１、Ａ２の間隙を覆うようにしてもよい。
【００６２】
このとき、出隅部Ｅにおいて天井躯体Ｃ１、Ｃ２間の間隙を覆う天井カバー１１の先端に先端カバー４５が固定されるとともに、この出隅部Ｅにおいて壁躯体Ｂ３、Ｂ４間の間隙を覆う壁カバー１２の先端にも先端カバー４５が固定される。先端カバー４５は、図９に示すように、主壁部４６と、主壁部４６の側部に設けられた側壁部４７と、主壁部４６の端部に設けられた端壁部４８と、を備えている。
【００６３】
この先端カバー４５を天井カバー１１に取り付ける際には、主壁部４６に穿設された複数個の取付孔４６ａにビス４２を貫通させ、このビス４２を天井カバー１１の天井面１１ａに固着させる。このように先端カバー４５を天井カバー１１に取り付けると、主壁部４６が天井カバー１１の天井面１１ａを覆い、側壁部４７が天井カバー１１の側面１１ｂを覆い、端壁部４８が天井カバー１１の小口端面を覆うようになっている。
【００６４】
また、この先端カバー４５を壁カバー１２に取り付ける際には、主壁部４６に穿設された複数個の取付孔４６ａにビス４２を貫通させ、このビス４２を壁カバー１２の正面１２ａに固着させる。このように先端カバー４５を壁カバー１２に取り付けると、主壁部４６が壁カバー１２の正面１２ａを覆い、側壁部４７が壁カバー１２の側面１２ｂを覆い、端壁部４８が壁カバー１２の小口端面を覆うようになっている。
【００６５】
このような構成によれば、出隅部Ｅにおいても衝突による破損・落下の事故を防止することができる。すなわち、先端カバー４５が天井カバー１１側と壁カバー１２側とに分割されているため、地震等が発生して揺れ動いたとしても先端カバー４５同士が衝突せず（図１０参照）、破損・落下の事故を防止することができる。
また、先端カバー４５は同一部材を使用することができるので、低コストで製造することができる。
【符号の説明】
【００６６】
１０  エキスパンションジョイント構造
１１  天井カバー
１１ａ  天井面
１１ｂ  側面
１２  壁カバー
１２ａ  正面
１２ｂ  側面
１３  コーナーカバー
２０  内側コーナーカバー
２１  水平面部
２２  垂直面部（取付部）
２２ａ  取付孔
２３  側立縁部
２３ａ  切欠部
２４  前立縁部
２５  側カバー部材
２６  蝶番
２６ａ  回動軸
３０  外側コーナーカバー
３１  傾斜面部
３２  下垂部
３２ａ  取付孔
３３  側面部
３３ａ  取付孔
３４  前面部
３５  角部
４１  塞ぎ材
４１ａ  摺接部
４１ｂ  挟持部
４２  ビス
４５  先端カバー
４６  主壁部
４６ａ  取付孔
４７  側壁部
４８  端壁部
Ａ１、Ａ２  建物躯体
Ｂ１、Ｂ２、Ｂ３、Ｂ４  壁躯体
Ｃ１、Ｃ２  天井躯体
Ｄ  入隅部
Ｅ  出隅部
【図１】
2014136906.tif 000003
【図２】
2014136906.tif 000004
【図３】
2014136906.tif 000005
【図４】
2014136906.tif 000006
【図５】
2014136906.tif 000007
【図６】
2014136906.tif 000008
【図７】
2014136906.tif 000009
【図８】
2014136906.tif 000010
【図９】
2014136906.tif 000011
【図１０】
2014136906.tif 000012